(57)【要約】【課題】容積効率の向上とコスト低減とを図ることが可能なコネクタの重ね合わせ構造を提供する。【解決手段】フロントホルダ５が仮係止状態にある二つの雌コネクタ１′を重ね合わせると、左側の雌コネクタ１′における雌コネクタハウジング３の後部当接部１２に、右側の雌コネクタ１′における回動部材２の前部当接部２４が当接するとともに、左側の雌コネクタ１′における雌コネクタハウジング３の相手二重係止部品収容凹部１３に、右側の雌コネクタ１′におけるフロントホルダ５が仮係止状態のままで収容される。フロントホルダ５は、本係止状態となる位置へ移動するような押し込みを受けることのない状態に収容される。【選択図】図８
2009231210.tif 000002
【特許請求の範囲】
【請求項１】
端子金具収容前となる同じコネクタ同士を中心軸に沿って同じ向きに重ね合わせた時に、重ね合わせ相手となるコネクタの仮係止状態にある二重係止部品をこの仮係止状態のままで収容するための相手二重係止部品収容凹部をコネクタハウジングに形成する、又は、自身コネクタの仮係止状態にある二重係止部品の前方に重ね合わせ相手となるコネクタのコネクタハウジング後部を収容するための相手ハウジング収容凹部をコネクタハウジングに形成する
ことを特徴とするコネクタの重ね合わせ構造。
【請求項２】
端子収容室を有するコネクタハウジングと、前記端子収容室に収容される端子金具と、前記端子収容室の前部を構成するための二重係止部品と、前記コネクタハウジングに回動自在に支持される回転部材とを備え、前記コネクタハウジングに対し前記二重係止部品を仮係止状態から本係止状態へ移行させると前記端子金具が二重に係止され、前記回動部材を回動させると相手側コネクタが初期嵌合状態から完全嵌合状態へ移行する回転嵌合式コネクタにおける回動部材側のコネクタの、前記端子金具収容前の重ね合わせ構造において、
前記回転部材の前部に前部当接部を形成し、前記コネクタハウジングの後部には重ね合わせ相手となるコネクタの仮係止状態にある二重係止部品をこの仮係止状態のままで収容するための相手二重係止部品収容凹部を形成し、該相手二重係止部品収容凹部の外側には前記重ね合わせ相手となるコネクタの回動部材における前部当接部が当接する後部当接部を形成する
ことを特徴とするコネクタの重ね合わせ構造。
【請求項３】
端子収容室を有するコネクタハウジングと、前記端子収容室に収容される端子金具と、前記端子収容室の前部を構成するための二重係止部品とを備え、前記コネクタハウジングに対し前記二重係止部品を仮係止状態から本係止状態へ移行させると前記端子金具が二重に係止されるコネクタの、前記端子金具収容前の重ね合わせ構造において、
前記コネクタハウジングの後部に後部当接部を形成し、前記コネクタハウジングの前部には重ね合わせ相手となるコネクタの後部当接部が当接する前部当接部を形成し、該前部当接部の内側、且つ自身コネクタの仮係止状態にある前記二重係止部品の前方には前記重ね合わせ相手となるコネクタのコネクタハウジング後部を収容するための相手ハウジング収容凹部を形成する
ことを特徴とするコネクタの重ね合わせ構造。
【請求項４】
請求項２又は請求項３に記載のコネクタの重ね合わせ構造において、
前記前部当接部及び前記後部当接部を、連続する環状となる形状に形成する
ことを特徴とするコネクタの重ね合わせ構造。
【発明の詳細な説明】
【技術分野】
【０００１】
本発明は、端子金具収容前となる同じコネクタ同士を中心軸に沿って同じ向きに重ね合わせるための構造に関する。
【背景技術】
【０００２】
コネクタハウジングの端子収容室に収容された端子金具を二重に係止するために、コネクタには、コネクタハウジングに嵌合するフロントホルダ又はリテーナ（二重係止部品）が設けられている（下記特許文献１、２参照）。フロントホルダ又はリテーナは、コネクタハウジングに対して先ず仮係止状態となるように組み付けられ、次に、端子収容室に端子金具を収容した状態にしてから、押し込みによって本係止状態へ移行する。そして、コネクタハウジングに対する嵌合と同時に端子金具を係止する。
【特許文献１】特開平１１−８００４号公報
【特許文献２】特開２００３−１６３０５６号公報
【発明の開示】
【発明が解決しようとする課題】
【０００３】
仮係止状態にあるフロントホルダ又はリテーナは、端子金具を端子収容室に収容する前に押し込みが行われると、比較的簡単に本係止状態となる位置へ移動してしまう。従って、この後には端子金具の収容が不能となり、端子金具を端子収容室に収容するためには、一旦フロントホルダ又はリテーナを元の仮係止状態となる位置まで戻さなければならない。この作業は非常に手間が掛かってしまう。フロントホルダ又はリテーナが仮係止状態にある場合には、運搬や保管に注意を払う必要がある。
【０００４】
端子金具収容前の運搬や保管において、フロントホルダ又はリテーナが本係止状態となる位置へ移動しないようにするためには、コネクタを重ねることなく一つひとつ並べる必要がある。これにより容積効率が悪くなるのは勿論のこと、余計な包装資材も必要になることから、これらが問題点となっている。
【０００５】
尚、特許文献１に開示されたコネクタにあっては、リテーナを保護するための保護壁がコネクタハウジングに設けられている。しかしながら、この保護壁は高く且つ長く形成されていることから、コネクタハウジングにおいて大きな部分となってしまい、仮にコネクタ同士を重ね合わせたとしても容積効率の向上は望めないものとなっている。
【０００６】
本発明は、上記した事情に鑑みてなされたもので、容積効率の向上とコスト低減とを図ることが可能なコネクタの重ね合わせ構造を提供することを課題とする。
【課題を解決するための手段】
【０００７】
上記課題を解決するためになされた請求項１記載の本発明のコネクタの重ね合わせ構造は、端子金具収容前となる同じコネクタ同士を中心軸に沿って同じ向きに重ね合わせた時に、重ね合わせ相手となるコネクタの仮係止状態にある二重係止部品をこの仮係止状態のままで収容するための相手二重係止部品収容凹部をコネクタハウジングに形成する、又は、自身コネクタの仮係止状態にある二重係止部品の前方に重ね合わせ相手となるコネクタのコネクタハウジング後部を収容するための相手ハウジング収容凹部をコネクタハウジングに形成することを特徴としている。
【０００８】
また、上記課題を解決するためになされた請求項２記載の本発明のコネクタの重ね合わせ構造は、端子収容室を有するコネクタハウジングと、前記端子収容室に収容される端子金具と、前記端子収容室の前部を構成するための二重係止部品と、前記コネクタハウジングに回動自在に支持される回転部材とを備え、前記コネクタハウジングに対し前記二重係止部品を仮係止状態から本係止状態へ移行させると前記端子金具が二重に係止され、前記回動部材を回動させると相手側コネクタが初期嵌合状態から完全嵌合状態へ移行する回転嵌合式コネクタにおける回動部材側のコネクタの、前記端子金具収容前の重ね合わせ構造において、前記回転部材の前部に前部当接部を形成し、前記コネクタハウジングの後部には重ね合わせ相手となるコネクタの仮係止状態にある二重係止部品をこの仮係止状態のままで収容するための相手二重係止部品収容凹部を形成し、該相手二重係止部品収容凹部の外側には前記重ね合わせ相手となるコネクタの回動部材における前部当接部が当接する後部当接部を形成することを特徴としている。
【０００９】
また、上記課題を解決するためになされた請求項３記載の本発明のコネクタの重ね合わせ構造は、端子収容室を有するコネクタハウジングと、前記端子収容室に収容される端子金具と、前記端子収容室の前部を構成するための二重係止部品とを備え、前記コネクタハウジングに対し前記二重係止部品を仮係止状態から本係止状態へ移行させると前記端子金具が二重に係止されるコネクタの、前記端子金具収容前の重ね合わせ構造において、前記コネクタハウジングの後部に後部当接部を形成し、前記コネクタハウジングの前部には重ね合わせ相手となるコネクタの後部当接部が当接する前部当接部を形成し、該前部当接部の内側、且つ自身コネクタの仮係止状態にある前記二重係止部品の前方には前記重ね合わせ相手となるコネクタのコネクタハウジング後部を収容するための相手ハウジング収容凹部を形成することを特徴としている。
【００１０】
また、請求項４記載の本発明のコネクタの重ね合わせ構造は、請求項２又は請求項３に記載のコネクタの重ね合わせ構造において、前記前部当接部及び前記後部当接部を、連続する環状となる形状に形成することを特徴としている。
【００１１】
以上のような特徴を有する本発明によれば、仮係止状態にある二重係止部品がコネクタの所定位置から突出する場合、この仮係止状態にある二重係止部品は、コネクタ同士の重ね合わせが行われると、コネクタハウジングの相手二重係止部品収容凹部に収容される。一方、仮係止状態にある二重係止部品がコネクタハウジングの内部にある場合、コネクタ同士の重ね合わせが行われると、仮係止状態にある二重係止部品の手前にある相手ハウジング収容凹部に、重ね合わせ相手側のコネクタハウジング後部が収容される。いずれの場合であっても、二重係止部品は本係止状態となる位置へ移動するような押し込みを受けることがない。従って、本発明によれば、仮係止状態にある二重係止部品があってもコネクタ同士の重ね合わせをすることが可能になる。この他、本発明によれば、前部当接部及び後部当接部が連続する環状の形状に形成されることから、仮係止状態にある二重係止部品の周囲が囲われ、端子収容室への異物混入が避けられる。
【発明の効果】
【００１２】
請求項１〜３に記載された本発明によれば、コネクタ同士の重ね合わせをすることが可能であることから、従来よりも容積効率を向上させることができるという効果を奏する。また、本発明によれば、容積効率の向上によって余計な包装資材がなくなることから、コスト低減を図ることができるという効果を奏する。
【００１３】
請求項４に記載された本発明によれば、端子収容室への異物混入をより確実に防止することができるという効果を奏する。
【発明を実施するための最良の形態】
【００１４】
以下、図面を参照しながら説明する。図１は本発明に係るコネクタの重ね合わせ構造の一実施の形態において使用される回転嵌合式コネクタにおける回動部材側のコネクタを示す斜視図である。また、図２は回動部材側のコネクタの分解斜視図、図３及び図４はコネクタハウジングの斜視図、図５はフロントホルダ仮係止状態の斜視図である。さらに、図６はコネクタ同士を重ね合わせる直前の状態を示す斜視図、図７はコネクタ同士を重ね合わせた状態を示す側面図、図８はコネクタ同士を重ね合わせた状態を示す断面図である。
【００１５】
図１において、引用符号１は回転嵌合式コネクタを構成する雄・雌コネクタのうちの回動部材２を有する雌コネクタ（回動部材側のコネクタ）を示している。この雌コネクタ１を含む回転嵌合式コネクタは、例えば車両のトランスミッションに取り付けられてトランスミッション内外の電気的な接続を行うことができるようになっている。雌コネクタ１は、回動部材２を所定方向に回動させることにより雄コネクタへの引き寄せが行われて初期嵌合状態から完全嵌合状態へ移行するような構造を有している。尚、雄コネクタに関しては、背景技術の欄の特許文献２に開示されたものと基本的に同じであるものとする。
【００１６】
図１及び図２において、雌コネクタ１は、雌コネクタハウジング３（コネクタハウジング）と、この雌コネクタハウジング３の複数の端子収容室４にそれぞれ収容される雌型の端子金具と、雌コネクタハウジング３に嵌合して端子収容室４の前部を構成するフロントホルダ５（二重係止部品）と、雌コネクタハウジング３に回動自在に支持される上記回動部材２と、雌コネクタハウジング３に取り付けられるシール材６とを備えて構成されている。以下、図１ないし図４を参照しながら雌コネクタ１について説明する。
【００１７】
図３及び図４において、雌コネクタハウジング３は、内部に複数の端子収容室４を有する略円柱形状の円柱部７と、この円柱部７の後部を囲む環状の回転壁８と、回転壁８の後方に形成されて回動部材２を回動自在に支持する回動支持溝９と、回動支持溝９の後方において径方向外側に延出するように形成される延出片１０とを有している。円柱部７と回転壁８との間には、環状のシール材６が設けられている。
【００１８】
また、雌コネクタハウジング３は、この後面１１を一段凹ますように形成される環状の後部当接部１２と、後部当接部１２の内側に形成される相手二重係止部品収容凹部１３とを有している。後部当接部１２は、連続する環状の平坦な面として形成されている。相手二重係止部品収容凹部１３は、平面視円形状の凹みであって、この底面１４には、端子収容室４の後端が複数開口形成されている。相手二重係止部品収容凹部１３は、フロントホルダ５（図２参照）の形状や仮係止状態にある時の突出量（図５の寸法Ｔ参照）に合わせて形成されている。
【００１９】
円柱部７の前部には、複数の端子収容室４の前部が露出している。このような円柱部７の前部には、フロントホルダ嵌合部１５が形成されている。フロントホルダ嵌合部１５には、ホルダ係止アーム１６が形成されている。ホルダ係止アーム１６は、一対のアームから形成されている。
【００２０】
図２において、フロントホルダ５は、略円形の前壁１７と、この前壁１７の縁部に連続する略環状の環状側壁１８とを有している。前壁１７には、雌コネクタハウジング３の端子収容室４の位置に合わせて複数の開口１９が貫通形成されている。開口１９は、コネクタ嵌合の際に雄コネクタの雄型の端子金具が差し込まれる部分として形成されている。開口１９は、端子収容室４毎に開口するのではなく、幾つかの端子収容室４をまとめた状態で開口するように形成されている。前壁１７には、円柱部７のホルダ係止アーム１６が差し込まれるアーム係止部２０が形成されている。フロントホルダ５は、アーム係止部２０にホルダ係止アーム１６が差し込まれて仮係止状態や本係止状態が形成されるようになっている。フロントホルダ５は、雌コネクタハウジング３に対し仮係止状態から本係止状態へと移行させると、雌コネクタハウジング３内の端子金具を二重に係止することができるような構造を有している。
【００２１】
図１及び図２において、回動部材２は、内側円筒部２１と、この内側円筒部２１の中間に連続して後方に伸びる外側円筒部２２とを有している。外側円筒部２２とこの内側の内側円筒部２１との間は、雌コネクタハウジング３の回転壁８を差し込むことができるような形状に形成されている。外側円筒部２２の後部には、雌コネクタハウジング３の回動支持溝９に引っ掛かる係合片２３が形成されている。内側円筒部２１は、この前端面が前部当接部２４として形成されている。前部当接部２４は、連続する環状の平坦な面として形成されている。
【００２２】
上記構成及び構造において、図５に示す如く回動部材２を雌コネクタハウジング３に組み付け、この後、フロントホルダ５を雌コネクタハウジング３の円柱部７（図３参照）に仮係止すると、フロントホルダ５は回動部材２の前部当接部２４よりも寸法Ｔの分だけ外側に突出する。このような端子金具収容前の状態となる雌コネクタ１′は、この雌コネクタ１′が複数の場合、雌コネクタ１′同士を中心軸Ｌ１に沿って同じ向きに重ね合わせて運搬・保管することができるようになっている（図６ないし図８参照）。尚、図７及び図８は、フロントホルダ５が仮係止状態にある二つの雌コネクタ１′を重ね合わせた状態を示している（重ね合わせの数は一例であるものとする）。
【００２３】
図８において、フロントホルダ５が仮係止状態にある二つの雌コネクタ１′を重ね合わせると、図中左側の雌コネクタ１′における雌コネクタハウジング３の後部当接部１２に、図中右側の雌コネクタ１′における回動部材２の前部当接部２４が当接するとともに、図中左側の雌コネクタ１′における雌コネクタハウジング３の相手二重係止部品収容凹部１３に、図中右側の雌コネクタ１′におけるフロントホルダ５が仮係止状態のままで収容される（フロントホルダ５は、本係止状態となる位置へ移動するような押し込みを受けることのない状態に収容される）。
【００２４】
以上、図１ないし図８を参照しながら説明してきたように、仮係止状態にあるフロントホルダ５があっても、雌コネクタ１′同士の重ね合わせを上記の如くすることができる。従って、本発明によれば、従来よりも容積効率を向上させることができるという効果を奏する。また、容積効率の向上によって余計な包装資材がなくなることから、コスト低減を図ることができるという効果も奏する。
【００２５】
この他、雌コネクタ１′同士の重ね合わせをすることにより、例えば梱包箱内での動きを規制し易くすることができるという効果も奏する。また、仮係止状態にあるフロントホルダ５の周囲が囲われることから、端子収容室４への異物混入を防止することができるという効果も奏する。
【００２６】
次に、図９及び図１０を参照しながら、本発明に係るコネクタの重ね合わせ構造の他の一実施の形態を説明する。図９は重ね合わせた状態を示す斜視図、図１０は重ね合わせた状態を示す側面図である。
【００２７】
図９及び図１０において、他の一実施の形態となる重ね合わせ構造は、端子金具収容前のコネクタ３１同士の重ね合わせ構造であり、コネクタ３１は端子収容室を有するコネクタハウジング３２と、端子収容室に収容される端子金具と、端子収容室の前部を構成するためのフロントホルダ３３（二重係止部品）とを備えて構成されている。コネクタ３１は、コネクタハウジング３２に対しフロントホルダ３３を仮係止状態から本係止状態へ移行させると、端子金具が二重に係止されるようになっている。
【００２８】
コネクタハウジング３２の後部には、後部当接部３４が形成されている。また、コネクタハウジング３２の前部には、前部当接部３５が形成されている。前部当接部３５の内側、且つコネクタハウジング３２の内部において仮係止状態にあるフロントホルダ３３の前方には、相手ハウジング収容凹部３６が形成されている。相手ハウジング収容凹部３６は、コネクタ３１に対して嵌合相手となる相手コネクタ（雄コネクタ）との嵌合部を兼用するようにも形成されている。
【００２９】
フロントホルダ３３が仮係止状態にある二つのコネクタ３１を中心軸Ｌ２に沿って同じ向きに重ね合わせると、図中左側のコネクタ３１におけるコネクタハウジング３２の後部当接部３４に、図中右側のコネクタ３１におけるコネクタハウジング３２の前部当接部３５が当接するとともに、図中左側のコネクタ３１におけるコネクタハウジング３２の後部３７が、図中右側のコネクタ３１におけるコネクタハウジング３２の相手ハウジング収容凹部３６に収容される。この時、図中右側のコネクタ３１におけるフロントホルダ３３は、本係止状態となる位置へ移動するような押し込みを受けることはない。
【００３０】
以上、図９及び図１０を参照しながら説明してきたように、仮係止状態にあるフロントホルダ３３があっても、コネクタ３１同士の重ね合わせを上記の如くすることができる。従って、本発明によれば、従来よりも容積効率を向上させることができるという効果を奏する。また、容積効率の向上によって余計な包装資材がなくなることから、コスト低減を図ることができるという効果も奏する。
【００３１】
この他、コネクタ３１同士の重ね合わせをすることにより、例えば梱包箱内での動きを規制し易くすることができるという効果も奏する。また、仮係止状態にあるフロントホルダ３３の前方が覆われることから、端子収容室への異物混入を防止することができるという効果も奏する。
【００３２】
本発明は本発明の主旨を変えない範囲で種々変更実施可能なことは勿論である。
【図面の簡単な説明】
【００３３】
【図１】本発明に係るコネクタの重ね合わせ構造の一実施の形態において使用される回転嵌合式コネクタにおける回動部材側のコネクタを示す斜視図である。
【図２】回動部材側のコネクタの分解斜視図である。
【図３】コネクタハウジングの斜視図（前部側から見た斜視図）である。
【図４】コネクタハウジングの斜視図（後部側から見た斜視図）である。
【図５】フロントホルダ仮係止状態の斜視図である。
【図６】コネクタ同士を重ね合わせる直前の状態を示す斜視図である。
【図７】コネクタ同士を重ね合わせた状態を示す側面図である。
【図８】コネクタ同士を重ね合わせた状態を示す断面図である。
【図９】本発明に係るコネクタの重ね合わせ構造の他の一実施の形態を示す斜視図である。
【図１０】本発明に係るコネクタの重ね合わせ構造の他の一実施の形態を示す側面図である。
【符号の説明】
【００３４】
１  雌コネクタ（回動部材側のコネクタ）
１′  端子金具収容前の状態となる雌コネクタ
２  回動部材
３  雌コネクタハウジング（コネクタハウジング）
４  端子収容室
５  フロントホルダ（二重係止部品）
６  シール材
７  円柱部
８  回転壁
９  回動支持溝
１０  延出片
１１  後面
１２  後部当接部
１３  相手二重係止部品収容凹部
１４  底面
１５  フロントホルダ嵌合部
１６  ホルダ係止アーム
１７  前壁
１８  環状側壁
１９  開口
２０  アーム係止部
２１  内側円筒部
２２  外側円筒部
２３  係合片
２４  前部当接部
３１  端子金具収容前のコネクタ
３２  コネクタハウジング
３３  フロントホルダ（二重係止部品）
３４  後部当接部
３５  前部当接部
３６  相手ハウジング収容凹部
３７  後部
【図１】
2009231210.tif 000003
【図２】
2009231210.tif 000004
【図３】
2009231210.tif 000005
【図４】
2009231210.tif 000006
【図５】
2009231210.tif 000007
【図６】
2009231210.tif 000008
【図７】
2009231210.tif 000009
【図８】
2009231210.tif 000010
【図９】
2009231210.tif 000011
【図１０】
2009231210.tif 000012